(57)【特許請求の範囲】
【請求項１】
操作部と接点部とからなり、これら操作部と接点部とが、それぞれに設けられた操作部側装着部と接点部側装着部とからなる装着部によって、着脱自在に分割構成された操作スイッチにおいて、
前記操作部側装着部はその外周壁の相対向する位置に凹所が設けられた円筒部からなり、
前記接点部側装着部は前記操作部側装着部の円筒部の外周面が収納されるフレームと、
前記フレームの前記円筒部の凹所と対応する位置にそれぞれ形成され、前記フレームの下端にその一端が固定されるとともに、他端が前記円筒部の凹所と対向する位置まで延びる板ばねからなる加圧ばねと、
前記加圧ばねの他端に前記円筒部側に突出して形成され、前記加圧ばねの他端で押圧されて前記操作部側装着部の円筒部の凹所に嵌め合う突起と、前記加圧ばねの他端から反円筒部側に突出する前記突起の根本部及び該根本部の反円筒部側からフレームの下端側に突出する凸部と、
前記フレームに前記操作スイッチの操作方向と垂直な方向に移動可能に取り付けられており、前記フレームの外部に配置されて前記操作スイッチの操作方向と垂直な方向から押し込まれる押圧部と、該押圧部と一体形成され、前記円筒部を挟むように前記フレーム内の前記加圧ばねと前記凸部との間にそれぞれ先端部が配置されるＵ字状の腕とを備え、前記操作スイッチの操作方向と垂直な方向から押し込まれたときに、前記Ｕ字状の腕が前記凸部に作用して前記突起を前記加圧ばねに抗して反円筒部側に押し広げて前記凹所と突起との係合を前記腕の先端部により外す押し具と、
この押し具の押圧部と腕との間に一端がそれぞれ一体形成されるとともに他端がそれぞれ前記フレームに係止されており、押し込まれた押し具を元の状態に戻す復帰ばねとからなることを特徴とする操作スイッチ。
【請求項２】
請求項１に記載の操作スイッチにおいて、操作部側装着部の円筒部の外周壁の前記腕の先端部と対向する位置に、段部からなる係合部をそれぞれ形成するとともに、接点部側装着部の押し具の腕の先端部に、この押し具を押し込んだときに前記円筒部の係合部と係合し、この押圧された押し具を保持するとともに、前記接点部側装着部を前記円筒部から引き抜くと前記円筒部の係合部との係合が外れる該円筒部側に突出する突起からなる係合部をそれぞれ形成したことを特徴とする操作スイッチ。
【請求項３】
請求項１あるいは２のいずれかに記載の操作スイッチにおいて、接点部側装着部のフレーム、突起および加圧ばねを合成樹脂で一体に形成したことを特徴とする操作スイッチ。
【請求項４】
請求項１に記載の操作スイッチにおいて、押し込まれた押し具の腕が円筒部に接触しないように押し具の腕の先端部を押し具の押圧方向に案内するガイド壁を該腕の先端部の先端と対向する接点部側装着部のフレームにそれぞれ形成したことを特徴とする操作スイッチ。
【請求項５】
請求項１に記載の操作スイッチにおいて、Ｕ字状の腕を備えた押し具の腕に、前記凸部を反円筒部側に押し広げる押し広げのためのテーパ面を両腕の外側に備えるとともに、両腕の先端の内側に前記押し広げのためのテーパ面と反対向きの第２のテーパ面を形成し、かつ押し具を押したときにこの第２のテーパ面と当接するテーパ面を接点部側装着部のフレームに形成したことを特徴とする操作スイッチ。
【請求項６】
請求項１に記載の操作スイッチにおいて、押し具の接点部側装着部のフレームに、押し力加圧面に沿って操作部側装着部の円筒部軸方向に工具の先端が挿入可能な孔または切欠き部が形成され、工具による押し操作を可能にしたことを特徴とする操作スイッチ。
【発明の詳細な説明】
【０００１】
【産業上の利用分野】
本発明は制御盤などのパネルに取り付けられる操作スイッチに関する。
【０００２】
【従来の技術】
一般に操作スイッチは操作部に比較して接点部が大きいので、制御盤などのパネルの取付けに便なるように、操作部と接点部とが着脱自在に分割構成され、制御盤などのパネルの孔に操作部をパネルの前方から挿入して取り付けた後に、パネルの後方から接点部を装着するものが多い。
【０００３】
図１２はこの種操作スイッチの従来例を示し、（ａ）は一部断面に含む分解平面図、（ｂ）は（ａ）の接点部側装着部のＡ−Ａ断面図である。図１２において操作スイッチは操作部１および接点部２と、この操作部１と接点部２とを着脱自在に構成する装着部３とから構成される。操作部１は押しボタンなどの操作端１１と、この操作端１１の後方に引き出された頸部１２と、この頸部１２の外周に取付けられた取付けねじ１３とからなり、この頸部１２に装着部３の操作部側装着部４が設けられている。接点部２は操作部１の操作端１１の操作によって開閉操作される接点を備え、その前面に装着部３の接点部側装着部５が設けられている。操作部側装着部４は円筒部４１からなり、この円筒部４１の外周壁に鉤状の切り込み４２が設けられ、接点部側装着部５は操作部側装着部４の円筒部４１の外周に内接する円筒部５１と、操作部側装着部４の円筒部４１の鉤状の切り込み４２の縦溝に緩く嵌め合う突起５２とから構成されている。
【０００４】
この操作スイッチの制御盤などのパネル７への取付けは、まずこのパネル７の孔に操作部１の頸部１２をパネル７の前方から挿入し、取付けねじ１３によって固定する。そしてこのパネル７の後方から接点部側装着部５の円筒部５１を操作部側装着部４の円筒部４１に、これらの突起５２と鉤状の切り込み４２の縦溝とを嵌め合せて押し込み、更に、矢印Ｐ方向に回動して突起５２を鉤状の切り込み４２の先端部に押し込んで接点部２を操作部１に結合する。
【０００５】
また、接点部２を操作部１から取り外すときは接点部側装着部５を反矢印Ｐ方向に回動して、この突起５２を操作部側装着部４の鉤状の切り込み４２の先端部から外して接点部２を操作部１から引き抜くようにする。
図１３はこの種操作スイッチの異なる従来例を示し、（ａ）は一部断面を含む分解平面図、（ｂ）は（ａ）の接点部側装着部のＡ−Ａ断面図である。図１３に示す従来例が図１２に示す従来例と異なるところは、操作部側装着部４の鉤状の切り込みの縦溝の巾を広くして、この巾の中に傾斜面４２Ａを設け、接点部側装着部５の突起５２に、この傾斜面４２Ａに対応した傾斜面５２Ａを設け、かつこの突起５２をリング５３に固定した点にある。このリング５３は回動自在となっており、このリング５３に設けた凸部５３Ａがばね５４によって矢印Ｐ方向に押し圧されて円筒部５１の段差に当たって位置し、このリング５３に取り付けられたレバー５５で反矢印Ｐ方向に回動する。
【０００６】
この操作スイッチにおいては、接点部側装着部５の円筒部５１を操作部側装着部４の円筒部４１に、これらの突起５２と鉤状の切り込み４２の縦溝とを嵌め合せて押し込むと、突起５２はその傾斜面５２Ａが切り込み４２の傾斜面４２Ａに当接して、ばね５４を押し圧して反矢印Ｐ方向に回動し、傾斜面４２Ａを乗り越えて元に戻るとき、自動的に鉤状の切り込み４２の先端部に押し込まれて接点部２が操作部１に結合される。
【０００７】
また、接点部２を操作部１から取り外すときは接点部側装着部５のレバー５５を反矢印Ｐ方向に回動して、突起５２を操作部側装着部４の鉤状の切り込み４２の先端部から外して接点部２を操作部１から引き抜くようにする。
【０００８】
【発明が解決しようとする課題】
しかしながら、前述の図１２に示す操作スイッチでは操作部と接点部とを結合するためには、接点部側装着部を操作部側装着部に挿入して回動する２段の動作が必要で結合に手数がかかる問題がある。また、前述の図１３に示す操作スイッチでは挿入だけの１段の動作で結合が行われるが、ばねなどの部品点数が増加する問題がある。
【０００９】
本発明の目的は１段の動作で操作部と接点部との結合ができ、更に部品点数を低減した操作スイッチを提供することにある。
【００１０】
【課題を解決するための手段】
前述の目的を達成するために、請求項１に記載の発明は操作部と接点部とからなり、これら操作部と接点部とが、それぞれに設けられた操作部側装着部と接点部側装着部とからなる装着部によって、着脱自在に分割構成された操作スイッチにおいて、前記操作部側装着部はその外周壁の相対向する位置に凹所が設けられた円筒部からなり、前記接点部側装着部は前記操作部側装着部の円筒部の外周面が収納されるフレームと、前記フレームの前記円筒部の凹所と対応する位置にそれぞれ形成され、前記フレームの下端にその一端が固定されるとともに、他端が前記円筒部の凹所と対向する位置まで延びる板ばねからなる加圧ばねと、前記加圧ばねの他端に前記円筒部側に突出して形成され、前記加圧ばねの他端で押圧されて前記操作部側装着部の円筒部の凹所に嵌め合う突起と、前記加圧ばねの他端から反円筒部側に突出する前記突起の根本部及び該根本部の反円筒部側からフレームの下端側に突出する凸部と、前記フレームに前記操作スイッチの操作方向と垂直な方向に移動可能に取り付けられており、前記フレームの外部に配置されて前記操作スイッチの操作方向と垂直な方向から押し込まれる押圧部と、該押圧部と一体形成され、前記円筒部を挟むように前記フレーム内の前記加圧ばねと前記凸部との間にそれぞれ先端部が配置されるＵ字状の腕とを備え、前記操作スイッチの操作方向と垂直な方向から押し込まれたときに、前記Ｕ字状の腕が前記凸部に作用して前記突起を前記加圧ばねに抗して反円筒部側に押し広げて前記凹所と突起との係合を前記腕の先端部により外す押し具と、この押し具の押圧部と腕との間に一端がそれぞれ一体形成されるとともに他端がそれぞれ前記フレームに係止されており、押し込まれた押し具を元の状態に戻す復帰ばねとからなるようにする。更に、請求項２に記載の発明のように操作部側装着部の円筒部の外周壁の前記腕の先端部と対向する位置に、段部からなる係合部をそれぞれ形成するとともに、接点部側装着部の押し具の腕の先端部に、この押し具を押し込んだときに前記円筒部の係合部と係合し、この押圧された押し具を保持するとともに、前記接点部側装着部を前記円筒部から引き抜くと前記円筒部の係合部との係合が外れる該円筒部側に突出する突起からなる係合部をそれぞれ形成すると好適である。更に、請求項３に記載の発明のように接点部側装着部のフレーム，突起および加圧ばねを合成樹脂で一体に形成する。
【００１１】
また、請求項１に記載の操作スイッチにおいて、請求項４に記載の発明のように、前記押し具の腕が押し具を押したときに操作部側装着部の円筒部へ倒れるのを防止するため、押し込まれた押し具の腕が円筒部に接触しないように押し具の腕の先端部を押し具の押圧方向に案内するガイド壁を該腕の先端部の先端と対向する接点部側装着部のフレームにそれぞれ形成するものとすれば極めて好適である。
【００１２】
また、請求項１に記載の操作スイッチにおいて、請求項５に記載の発明のように、Ｕ字状の腕を備えた押し具の腕に、前記凸部を反円筒部側に押し広げる押し広げのためのテーパ面を両腕の外側に備えるとともに、両腕の先端の内側に前記押し広げのためのテーパ面と反対向きの第２のテーパ面を形成し、かつ押し具を押したときにこの第２のテーパ面と当接するテーパ面を接点部側装着部のフレームに形成するものとし、押し具への押し力消滅時に押し具が加圧ばねの復元力でも突起の押し広げ開始位置に戻るようにするのもよい。
【００１３】
また、さらに、請求項１に記載の操作スイッチにおいて、請求項６に記載の発明のように、接点部側装着部のフレームに、押し力加圧面に沿って操作部側装着部の円筒部軸方向に工具の先端が挿入可能な孔または切欠き部が形成されたものとし、工具による押し操作を可能にすればさらに好適である。
【００１４】
【作用】
請求項１に記載の発明では、接点部側装着部のフレームを操作部側装着部の円筒部に嵌め合せて押し込むと、接点部側装着部の突起は一度加圧ばねに抗して広げられてからこの加圧ばねに押し圧されて操作部側装着部の円筒部の凹所に嵌め合うので、一段の動作で接点部が操作部に結合される。また、接点部を操作部から取り外すときは、接点部側装着部の押し具を押し込むと、その腕が突起の根本部の凸部を横方向に押し広げて、この突起を加圧ばねの反押し圧方向に押し広げ操作部側装着部の円筒部の凹所から外すので、接点部を操作部から回動操作を必要とすることなく引き抜くことができる。
【００１５】
請求項２に記載の発明では、操作部側装着部の円筒部の外周壁の前記腕の先端部と対向する位置に、段部からなる係合部をそれぞれ形成するとともに、接点部側装着部の押し具の腕の先端部に、この押し具を押し込んだときに前記円筒部の係合部と係合し、この押圧された押し具を保持するとともに、前記接点部側装着部を前記円筒部から引き抜くと前記円筒部の係合部との係合が外れる該円筒部側に突出する突起からなる係合部をそれぞれ形成したので、接点部を操作部から取り外すときは接点部側装着部の押し具を押し込むと、押し具はその位置で保持され、接点部を操作部から引き抜くと押し具は自動的に復帰する。
【００１６】
請求項３に記載の発明では、接点部側装着部のフレーム，突起および加圧ばねを合成樹脂で一体に形成したので部品点数が低減する。
請求項４に記載の発明では、押し込まれた押し具の腕が円筒部に接触しないように押し具の腕の先端部を押し具の押圧方向に案内するガイド壁を該腕の先端部の先端と対向する接点部側装着部のフレームにそれぞれ形成したので、押し具の腕に加圧ばねの復元力がかかっても腕が操作部側装着部の円筒部に接触することがなく、操作部と接点部との分離を容易に行うことができる。
【００１７】
請求項５に記載の発明では、Ｕ字状の腕を備えた押し具の腕に、凸部を反円筒部側に押し広げる押し広げのためのテーパ面を両腕の外側に備えるとともに、両腕の先端の内側に前記押し広げのためのテーパ面と反対向きの第２のテーパ面を形成し、かつ押し具を押したときにこの第２のテーパ面と当接するテーパ面を接点部側装着部のフレームに形成するようにしたので、押し具への押し力消滅時に押し具が加圧ばねの復元力でも突起の押し広げ開始位置に戻り、請求項１に記載の復帰ばねが機能を喪失しても復帰が可能になる。
【００１８】
請求項６に記載の発明では、押し具の接点部側装着部のフレームに、押し力加圧面に沿って操作部側装着部の円筒部軸方向にマイナスドライバを挿入可能な孔または切欠き部を形成したので、マイナスドライバのような、先端部が平たい工具を孔または切欠き部に挿入して、てこの原理で押し具を手で直接押すことができ、操作スイッチがパネルに多数密着状態に取り付けられている場合でも、操作スイッチのパネルへの着脱が容易に可能になる。
【００１９】
【実施例】
図１および図２は本発明の操作スイッチの第１の実施例を示し、図１において（ａ）は一部断面を含む分解平面図、（ｂ）は（ａ）を結合したときの断面図であり、図２は分解斜視図である。
図１および図２に示す実施例が図１３に示す従来例と異なるところは、次の点にある。すなわち、操作部側装着部４は円筒部４１の外周壁に横方向に延びる２個の凹所４３Ａ，４３Ｂが設けられ、接点部側装着部５は操作部側の円筒部４１の外周壁の凹所４３Ａ，４３Ｂを除く個所に、例えば前後方向の外周壁に緩く嵌め合うフレーム５１と、このフレーム５１にその下端が固定された、例えば板ばねからなる加圧ばね５６Ａ、５６Ｂの上端で押し圧されて操作部側装着部４の円筒部４１の凹所４３Ａ，４３Ｂに嵌め合う２個の突起５７Ａ，５７Ｂと、その先端の傾斜面で突起５７Ａ，５７Ｂの根本部１５７Ａ,１５７Ｂの凸部５８Ａ，５８Ｂを横方向に押し広げて、この突起５７Ａ，５７Ｂを加圧ばね５６Ａ，５６Ｂの反押し圧方向に押し広げ凹所４３Ａ，４３Ｂから外すＵ字状の腕５９Ａ，５９Ｂを備えた押し具６０と、この押し具６０の復帰ばね６１Ａ，６１Ｂとから構成されている点にある。そして接点部側装着部５のフレーム５１，突起５７Ａ，５７Ｂおよび加圧ばね５６Ａ，５６Ｂ、押し具６０および復帰ばね６１Ａ，６１Ｂをそれぞれ、例えば合成樹脂の一体成形により一体に形成すると部品点数が削減され好適である。
【００２０】
この操作スイッチにおいては、接点部側装着部５のフレーム５１を操作部側装着部４の円筒部４１に嵌め合せて押し込むと、接点部側装着部５の突起５７Ａ，５７Ｂは加圧ばね５６Ａ，５６Ｂに抗して横方向に広げられてからこの加圧ばねに押し圧されて、操作部側装着部４の円筒部４１の凹所４３Ａ，４３Ｂに嵌め合うので、一段の動作で接点部２が操作部１に結合される。
【００２１】
また、接点部２を操作部１から取り外すときは、接点部側装着部５の押し具６０を図１の（ｂ）のＸ方向より押し込み、その腕５９Ａ，５９Ｂで突起５７Ａ，５７Ｂの根本部の凸部５８Ａ，５８Ｂを横方向に押し広げて、この突起５７Ａ，５７Ｂを加圧ばね５６Ａ，５６Ｂの反押し圧方向に押し広げ凹所４３Ａ，４３Ｂから外し、接点部２を操作部１から引き抜くようにする。図３は押し具６０を押し込み、接点部２を操作部１から引き抜いたときの状態を示す。なお、押し具６０のＸ方向からの押圧力を取り除くと、押し具６０は復帰ばね６１Ａ，６１Ｂの作用により図１の（ｂ）に示す元の状態に戻る。
【００２２】
図４は本発明の操作スイッチの第２の実施例を示す断面図である。図４に示すこの実施例が図１および図２に示す実施例と異なるところは、操作部側装着部４の円筒部４１と接点部側装着部５の押し具６０の腕５９Ａ，５９Ｂとの間に、押し具６０を押し込んだとき係合し、この押し圧された押し具を保持する係合部６２Ａ，６２Ｂを設けた点にある。図４及び図５に示すように、前記円筒部４１に設けた係合部は、円筒部４１の外周壁の前記腕５９Ａ，５９Ｂの先端部と対向する位置に形成された段部からなる係合部であり、前記押し具６０の腕５９Ａ，５９Ｂの先端部に設けた係合部は、この押し具６０を押し込んだときに前記円筒部４１の係合部と係合し、この押圧された押し具６０を保持するとともに、前記接点部側装着部を前記円筒部４１から引き抜くと前記円筒部４１の係合部との係合が外れる該円筒部側に突出する突起からなる係合部である。
【００２３】
図１に示す実施例では接点部２を取り外すためには、押し具６０を押し込み、その腕５９Ａ，５９Ｂで突起５７Ａ，５７Ｂの根本部を横方向に押し広げて、この突起５７Ａ，５７Ｂを凹所４３Ａ，４３Ｂから外し、この状態を保持するように押し具６０を押し込みながら接点部２を引き抜く必要があるが、図４に示す実施例では押し具６０を押し込んだとき、係合部６２Ａ，６２Ｂで係合されてこの押し具６０は押し込んだ状態に保持されるので（図５参照）、その保持された状態で接点部２を操作部１から引き抜けばよく、より取り外しが便になる。なお、接点部２を引き抜くと、操作部側装着部４の円筒部４１と接点部側装着部５の押し具６０の腕５９Ａ，５９Ｂとの間の係合部６２Ａ，６２Ｂは外れるので、押し具６０は復帰ばね６１Ａ，６１Ｂの力によって元の状態に自動的に戻る。
【００２４】
図６および図７は本発明の操作スイッチの第３の実施例を示す。図６は操作部側と接点部側との両装着部が係合しているときの装着部の断面を示す図であり、図７は係合が解かれたときの断面を示す図である。この実施例が第１の実施例と異なるところは、接点部側装着部のフレーム５１にガイド壁７１Ａ，７１Ｂを設けた点にある。接点部側装着部の突起５７Ａ，５７Ｂを操作部側装着部の円筒部４１の凹所４３Ａ，４３Ｂに押圧する加圧ばね５６Ａ，５６Ｂの押圧力と比較して押し具６０の腕５９Ａ，５９Ｂの曲げ剛性が小さいと、ガイド壁７１Ａ，７１Ｂが無い場合、押し具６０を押したときに腕５９Ａ，５９Ｂが内側へ倒されて円筒部４１の凸部８１Ａ，８１Ｂに接触し、突起５７Ａ，５７Ｂが円筒部４１の凹所４３Ａ，４３Ｂから外れても操作部と接点部との分離に力を要し、分離が容易でなくなる。しかし、本実施例のようにガイド壁７１Ａ，７１Ｂがフレーム５１に設けられていると、腕５９Ａ，５９Ｂの曲げ剛性が小さくても円筒部４１に接触することなく突起５７Ａ，５７Ｂを凹所４３Ａ，４３Ｂから外すことができ、操作部と接点部との分離を容易に行うことができる。
【００２５】
図８および図９は本発明の操作スイッチの第４の実施例を示す。この実施例が第１の実施例と異なるところは、腕５９Ａ，５９Ｂが、押し広げのためのテーパ面１５９Ａ，１５９Ｂのほか、円筒部側にも第２のテーパ面１００Ａ，１００Ｂを備えるとともに、押し具６０を押したときにこれら第２のテーパ面１００Ａ，１００Ｂと当接するテーパ面７２Ａ，７２Ｂをフレーム５１に備えさせた点にある。押し具６０を押し切った状態では、前記第２のテーパ面１００Ａ，１００Ｂがフレーム側のテーパ面７２Ａ，７２Ｂに滑動気味に当接し、腕５９Ａ，５９Ｂは第１のテーパ面１５９Ａ，１５９Ｂと第２のテーパ面１００Ａ，１００Ｂとにそれぞれ、凸部５８Ａ，５８Ｂのテーパ面１５６Ａ，１５６Ｂと、フレーム側のテーパ面７２Ａ，７２Ｂとから反力を受け、押し力が消滅したときにこれらの反力の押し方向分力により押し始めた位置へ向けて押し戻される。操作部側装着部と接点部側装着部との係合は、円筒部４１の凹所４３Ａ，４３Ｂで突起５７Ａ，５７Ｂを押し広げた状態で行われているので、図８の状態でも加圧ばね５６Ａ，５６Ｂは円筒部４１側への押圧力を保有しており、押し力消滅時には押し具６０は確実に図８の位置まで押し戻される。
【００２６】
図１０および図１１は本発明の操作スイッチの第５の実施例を示す。この実施例は、操作スイッチがパネルに密着状態に取り付けられている場合にも、操作部と接点部との分離を容易に行うことができるようにして操作スイッチをパネルから容易に取り外すことができるようにするためのフレーム構造の一例を示すものである。図１０に示すように、フレーム５１に偏平な孔９０を形成し、図１１（ｂ）のようにマイナスドライバ１００の先端を差し込み、ドライバの図示されない把手を下方へ図１１（ａ）の矢印のように押すと、押し具６０が下方へ押され、スイッチの操作部と接点部との分離が可能になる。ドライバを差し込むことができるので、操作スイッチが密着状態に取り付けられていても、所望の操作スイッチをパネルから容易に取り外すことができる。
【００２７】
【発明の効果】
本発明においては、操作部と接点部とが着脱自在に分割構成される操作スイッチを以上の構造のものとしたので、以下に記載する効果が得られる。
請求項１に記載の構造では、接点部側装着部のフレームを操作部側装着部の円筒部に嵌め合せて押し込むと、接点部側装着部の突起は一度加圧ばねに抗して広げられてからこの加圧ばねに押し圧されて操作部側装着部の円筒部の凹所に嵌め合うので、一般の動作で接点部が操作部に結合される。また、接点部を操作部から取り外すときは、接点部側装着部の押し具を押し込むと、その腕が突起の根本部の凸部を横方向に押し広げて、この突起を加圧ばねの反押し圧方向に押し広げ操作部側装着部の円筒部の凹所から外すので、接点部を操作部から回動操作を必要とすることなく引き抜くことができる。これにより、スイッチを、操作部と接点部との着脱の容易な、かつ部品点数の低減可能なスイッチとすることができた。
【００２８】
請求項２に記載の構造では、操作部側装着部の円筒部の外周壁の前記腕の先端部と対向する位置に、段部からなる係合部をそれぞれ形成するとともに、接点部側装着部の押し具の腕の先端部に、この押し具を押し込んだときに前記円筒部の係合部と係合し、この押圧された押し具を保持するとともに、前記接点部側装着部を前記円筒部から引き抜くと前記円筒部の係合部との係合が外れる該円筒部側に突出する突起からなる係合部をそれぞれ形成したので、接点部を操作部から取り外すときは接点部側装着部の押し具を押し込むと、押し具はその位置で保持され、接点部を操作部から引き抜くと押し具は自動的に復帰するので、操作部と接点部との着脱の繰返しに手間のかからないスイッチとすることができた。
【００２９】
請求項３に記載の構造では、接点部側装着部のフレーム，突起および加圧ばねを合成樹脂で一体に形成したので部品点数の少ないスイッチとすることができた。
請求項４に記載の構造では、押し具の腕が押し具を押したときに操作部側装着部の円筒部側へ倒れるのを防止するため，押し込まれた押し具の腕が円筒部に接触しないように押し具の腕の先端部を押し具の押圧方向に案内するガイド壁を該腕の先端部の先端と対向する接点部側装着部のフレームにそれぞれ形成したので、押し具の腕を強固に形成する必要がなくなり、これに伴い操作スイッチが小形となり、軽量構造のスイッチとすることができた。
【００３０】
請求項５に記載の構造では、Ｕ字状の腕を備えた押し具の腕に、凸部を反円筒部側に押し広げる押し広げのためのテーパ面を両腕の外側に備えるとともに、両腕の先端の内側に前記押し広げのためのテーパ面と反対向きの第２のテーパ面を形成し、かつ押し具を押したときにこの第２のテーパ面と当接するテーパ面を接点部側装着部のフレームに形成し、押し具への押し力消滅時に押し具が加圧ばねの復元力でも突起の押し広げ開始位置に戻るようにしたので、請求項１に記載の復帰ばねが機能を喪失したときにも、操作部と接点部との係合が確実に行われ、スイッチのパネルへの取付けが確実に行われてスイッチの使用信頼性を向上させることができた。
【００３１】
請求項６の構造では、押し具の接点部側装着部のフレームに、押し力加圧面に沿って操作部側装着部の円筒部軸方向にマイナスドライバを挿入可能な孔または切欠き部が形成されるので、ドライバ等の常用工具を用いて操作部と接点部との分離を行うことができ、操作スイッチがパネルに互いに密着状態に取り付けられている場合でも操作部と接点部との着脱を容易に行うことができるようになった。
【図面の簡単な説明】
【図１】本発明の操作スイッチの第１の実施例を示し、（ａ）は一部断面を含む分解平面図、（ｂ）は（ａ）を結合したときの断面図
【図２】図１の分解斜視図
【図３】図１において、接点部を操作部からの引き抜く方法を示す説明図であり、（ａ）は押し圧部を押し圧して接点部を操作部から引き抜いたときの状態を示す分解斜視図、（ｂ）は押し圧部を押し圧したときの状態を示す断面図
【図４】本発明の操作スイッチの第２の実施例を示す断面図
【図５】図４において、接点部を操作部から引き抜く方法を示す説明図であり、押し圧部を押し圧したときの状態を示す断面図
【図６】本発明の操作スイッチの第３の実施例を操作部と接点部との係合状態で示す断面図
【図７】図６に示した操作スイッチの操作部と接点部との係合解除時の状態を示す断面図
【図８】本発明の操作スイッチの第４の実施例を操作部と接点部との係合状態で示す断面図
【図９】図８に示した操作スイッチの操作部と接点部との係合解除時の状態を示す断面図
【図１０】本発明の操作スイッチの第５の実施例を示す断面図
【図１１】図１０に示した操作スイッチにおける操作部と接点部との係合解除をドライバ等の常用工具を用いて行う場合の解除操作方法を示す図であって、（ａ）は解除着手時点の状態を示す図、（ｂ）は解除完了時点の状態を示す図
【図１２】従来の操作スイッチの一例を示し、（ａ）は一部断面を含む分解平面図、（ｂ）は（ａ）の接点部側装着部のＡ−Ａ断面図
【図１３】従来の操作スイッチの異なる例を示し、（ａ）は一部断面を含む分解平面図、（ｂ）は（ａ）の接点部側装着部のＡ−Ａ断面図
【符号の説明】
１    操作部
２    接点部
３    装着部
４    操作部側装着部
４１    円筒部
４３Ａ  凹所
４３Ｂ  凹所
５    接点部側装着部
５１    フレーム
５６Ａ  加圧ばね
５６Ｂ  加圧ばね
５７Ａ  突起
５７Ｂ  突起
５９Ａ  腕
５９Ｂ  腕
１５９Ａ  テーパ面
１５９Ｂ  テーパ面
６０    押し具
６１Ａ  復帰ばね
６１Ｂ  復帰ばね
７１Ａ  ガイド壁
７１Ｂ  ガイド壁
７２Ａ  テーパ面
７２Ｂ  テーパ面
９０    孔
１００Ａ  テーパ面
１００Ｂ  テーパ面
【図１】
0003674087.tif 000002
【図２】
0003674087.tif 000003
【図３】
0003674087.tif 000004
【図４】
0003674087.tif 000005
【図５】
0003674087.tif 000006
【図６】
0003674087.tif 000007
【図７】
0003674087.tif 000008
【図８】
0003674087.tif 000009
【図９】
0003674087.tif 000010
【図１０】
0003674087.tif 000011
【図１１】
0003674087.tif 000012
【図１２】
0003674087.tif 000013
【図１３】
0003674087.tif 000014